(57)【特許請求の範囲】
【請求項１】
第１の伝送路を介して送られてくる電源の供給を受けて動作する演算処理部と、第２の伝送路を介して送られてくる電源の供給を受けて動作し前記第２の伝送路に出力する電流を調整する通信処理部と、前記演算処理部と前記通信処理部との間に設けられた絶縁回路とを備え、前記通信処理部が調整する通常の電流範囲の上限値を上回るレベルの信号を第１のバーンアウト信号とし、下限値を下回るレベルの信号を第２のバーンアウト信号とし、この第１および第２のバーンアウト信号のうち異常検出時の出力信号として設定された前記演算処理部が生成するバーンアウト信号を前記絶縁回路を介して前記通信処理部より前記第２の伝送路に出力するフィールド機器において、
前記絶縁回路の出力ラインを介して分岐入力される信号を反転する反転回路と、
前記絶縁回路の出力ラインからの信号を第１の入力、前記反転回路からの反転された信号を第２の入力とし、その選択設定状態に応じて前記第１の入力および前記第２の入力の何れか一方を選択し、その選択した信号を前記通信処理部へ出力する選択回路とを備え、
前記絶縁回路は、
前記通信処理部への電源の供給がオン、前記演算処理部への電源の供給がオフの状態にある場合、前記出力ラインの電圧レベルを前記第１および第２のバーンアウト信号のうち予め定められたバーンアウト信号を示す電圧レベルに保つ
ことを特徴とするフィールド機器。
【請求項２】
請求項１に記載されたフィールド機器において、
前記絶縁回路は、
「Ｈ」レベルを前記第１のバーンアウト信号を示す電圧レベル、「Ｌ」レベルを前記第２のバーンアウト信号を示す電圧レベルとし、前記通信処理部への電源の供給がオン、前記演算処理部への電源の供給がオフの状態にある場合、前記出力ラインの電圧レベルを前記第１および第２のバーンアウト信号のうち予め定められたバーンアウト信号を示す電圧レベルに保つ
ことを特徴とするフィールド機器。
【請求項３】
請求項１又は２に記載されたフィールド機器において、
前記選択回路での選択設定状態を前記演算処理部へ伝達する選択設定状態伝達手段を備え、
前記演算処理部は、
自己が生成するバーンアウト信号の方向と、前記通信処理部への電源の供給がオン、前記演算処理部への電源の供給がオフの状態にある場合に前記選択回路が前記通信処理部へ出力するバーンアウト信号の方向とが異なる場合、自己が生成するバーンアウト信号の方向を前記選択回路が出力するバーンアウト信号と同じ方向に整合させる整合手段
を備えることを特徴とするフィールド機器。
【発明の詳細な説明】
【技術分野】
【０００１】
この発明は、伝送路を介して送られてくる電源の供給を受けて動作するポジショナなどのフィールド機器に関するものである。
【背景技術】
【０００２】
従来より、調節弁の弁開度制御を担うフィールド機器であるポジショナは、上位側システムより一対の電線を介して送られてくる４〜２０ｍＡの電流で動作するように設計されている。例えば、上位側システムより４ｍＡの電流が送られてきた場合には調節弁の弁開度を０％とし、２０ｍＡの電流が送られてきた場合には調節弁の弁開度を１００％とする。
【０００３】
近年、ポジショナには調節弁の弁開度制御という本来の機能に加えて、弁開度発信機能や調節弁の異常診断や自己の異常診断などの結果を上位側システムへ送信する機能を有するポジショナが提案されている（例えば、特許文献１参照）。
【０００４】
図６に従来の通信機能を有するポジショナの要部の構成図を示す。同図において、１はポジショナ、２は上位側システム、３は調節弁である。ポジショナ１は、上位側システム２と２系統の２線式伝送路で接続されており、入力信号検出部１２と、弁リフト検出部１３と、演算処理部（ＣＰＵ）１４と、電空変換部１５と、Ａ／Ｄ変換部１６と、通信処理部（電流出力回路）１７とを備えている。
【０００５】
第１の系統の２線式伝送路（第１の伝送路）は、上位側システム２のコントローラ４と接続された２線式伝送路５，６で、コントローラ４からこの２線式伝送路５，６を介して、調節弁３の設定開度に応じた４〜２０ｍＡの電流信号がポジショナ１の入力信号検出部１２に入力される。
【０００６】
入力信号検出部１２は、２線式伝送路５，６を介して送られてくる４〜２０ｍＡの電流信号からポジショナ１の内部回路の動作電源を生成すると共に、その電流信号の値に応じた電圧信号をＡ／Ｄ変換部１６に送る。Ａ／Ｄ変換部１６は、入力信号検出部１２からの電圧信号をデジタル信号に変換し、調節弁３の設定開度を示す信号として演算処理部１４へ送る。
【０００７】
なお、入力信号検出部１２が生成する動作電源は、スイッチＳＷ１を介して、ポジショナ１の通信処理部１７を除いた内部回路に供給される。この例では、通信処理部１７を除いた内部回路として、弁リフト検出部１３，演算処理部１４，電空変換部１５およびＡ／Ｄ変換部１６に送られる。
【０００８】
一方、弁リフト検出部１３は調節弁３の実開度を検出し、その実開度に応じた電圧信号をＡ／Ｄ変換部１６に送る。Ａ／Ｄ変換部１６は、弁リフト検出部１３からの電圧信号をデジタル信号に変換し、調節弁３の実開度を示す信号として演算処理部１４へ送る。
【０００９】
演算処理部１４は、Ａ／Ｄ変換部１６を介して送られてくる調節弁３の設定開度を示す信号および実開度を示す信号に基づいて、調節弁３の実開度と設定開度との偏差に応じたＰＷＭ信号を生成し、電空変換部１５に出力する。電空変換部１５は、演算処理部１４からのＰＷＭ信号を空気圧信号に変換し、その変換した空気圧信号を調節弁３の駆動部に供給する。これにより、調節弁３の弁開度（弁リフトの位置）が調整され、調節弁３の実開度が設定開度に合わせ込まれる。
【００１０】
また、演算処理部１４は、このような調節弁３の弁開度制御を行う機能に加えて、調節弁３の実開度を演算したり、調節弁３の異常診断やポジショナ１自身の異常診断を行う機能も有している。
【００１１】
第２の系統の２線式伝送路（第２の伝送路）は、抵抗１０を介して外部電源９と接続された２線式伝送路７，８で、演算処理部１４はこの２線式伝送路７，８と通信処理部１７を介して接続されている。通信処理部１７は２線式伝送路７，８を介して送られてくる電源の供給を受けて動作する。これにより、２線式伝送路７，８に接続された通信装置１１とポジショナ１との間の通信、すなわち通信処理部１７と通信装置１１との間の送受信が可能となる。この例では、通信処理部１７から外部の通信装置１１に対して、演算処理部１４が求めた調節弁３の実開度や調節弁３の異常診断結果やポジショナ１自身の自己診断結果が送信される。
【００１２】
このような通信機能を有するポジショナ１では、図７に示すように、演算処理部１４と通信処理部１７との間に絶縁回路１８を設け、演算処理部１４と通信処理部１７との間の入出力の電気的な絶縁性を確保し、演算処理部１４や通信装置１１での処理動作に影響を与えるようなノイズが生じないようにする。
【００１３】
図８に演算処理部１４から通信処理部１７への送信経路に設けられた絶縁回路１９の一例を示す。この絶縁回路１９は特許文献２にパルス列信号伝送装置として示されている。なお、通信処理部１７から演算処理部１４への送信経路にも同様の絶縁回路２０が設けられている。
【００１４】
図８において、１９１は排他的論理和回路、１９２はフォトカプラ、１９３はフリップフロップ、Ｒ１〜Ｒ５は抵抗、Ｄ１はダイオード、Ｃ１，Ｃ２はコンデンサ、Ｔ１は演算処理部１４からの信号ａの入力端子、Ｔ２は通信処理部１７への信号ｅの出力端子である。
【００１５】
図９はこの絶縁回路１９の動作を示すタイムチャートである。図９（ａ）は演算処理部１４からの信号ａ（排他的論理和回路１９１の一方への入力信号）、（ｂ）は排他的論理和回路１９１の他方への入力信号ｂ、（ｃ）は排他的論理和回路１９１の出力信号ｃ（フリップフロップ１９３のリセット端子への入力信号）、（ｄ）は積分信号ｄ（フリップフロップ１９３のセット端子への入力信号）、（ｅ）は通信処理部１７への信号ｅ（フリップフロップ１９３のＱ出力）である。
【００１６】
この絶縁回路１９では、演算処理部１４から信号ａとしてパルス列信号が送られてくると、排他的論理和回路１９１の出力信号ｃとして、そのパルス列信号の立ち上がりで幅が広いエッジ信号ｃが生成され、そのパルス列信号の立ち下がりで幅が狭いエッジ信号ｃが生成される。そして、この生成されたエッジ信号ｃがフォトカプラ１９２によって伝送信号ｃとして再生され、この伝送信号ｃがフリップフロップ１９３のリセット端子へ入力されると同時に、抵抗Ｒ５とコンデンサＣ２とで構成される積分回路に入力されて積分信号ｄとしてフリップフロップ１９３のセット端子へ入力される。これにより、フリップフロップ１９３がセットとリセットとを繰り返し、フリップフロップ１９３のＱ出力として入力信号ａを再生した信号ｅが得られ、この入力信号ａを再生した信号ｅが通信処理部１７へ送られるものとなる。
【００１７】
演算処理部１４は、調節弁３の実開度を通信装置１１へ送る場合、絶縁回路１９への信号ａをその実開度に応じたデューティ比のパルス列信号とする。通信処理部１７は、この演算処理部１４からのパルス列信号を受けて、２線式伝送路７，８に出力する電流を４〜２０ｍＡの範囲の電流に調整する。また、演算処理部１４は、調節弁３の異常診断やポジショナ１自身の異常診断を行う機能を有しており、異常と判断した場合、通常の４〜２０ｍＡの電流範囲とは異なるレベルの信号をバーンアウト信号（警報信号）として２線式伝送路７，８に出力する。
【００１８】
このバーンアウト信号には、通常の電流範囲の上限値を上回るレベルのバーンアウトＨ信号と、通常の電流範囲の下限値を下回るレベルのバーンアウトＬ信号とがあり、予めどちらか一方のバーンアウト信号が異常検出時の出力信号として設定される。例えば、通信装置１１が通常の電流範囲の上限値を上回るレベルの信号を異常であると認識する装置であれば、演算処理部１４にはバーンアウトＨ信号を警報信号として出力するように設定される。この場合、絶縁回路１９におけるフリップフロップ１９３のＱ出力は、演算処理部１４からの指令によって「Ｈ」レベル（バーンアウトＨ信号を示す電圧レベル）に保たれる。通信装置１１が通常の電流範囲の下限値を下回るレベルの信号を異常であると認識する装置であれば、演算処理部１４にはバーンアウトＬ信号を警報信号として出力するように設定される。この場合、絶縁回路１９におけるフリップフロップ１９３のＱ出力は、演算処理部１４からの指令によって「Ｌ」レベル（バーンアウトＬ信号を示す電圧レベル）に保たれる。
【先行技術文献】
【特許文献】
【００１９】
【特許文献１】特開平１−１４１２０２号公報
【特許文献２】特公平６−４８８２７号公報
【発明の概要】
【発明が解決しようとする課題】
【００２０】
図７に示したポジショナ１では、演算処理部１４と通信処理部１７とが異なる２線式伝送路から動作電源を得ているので、各々が独立して電源オンとオフの状態が生じ得る。例えば、作業者がポジショナ１の内部回路への電源供給を可能とするスイッチＳＷ１を入れ忘れると、通信処理部１７への電源の供給がオンの状態であるにも拘わらず、演算処理部１４への電源の供給がオフの状態となる、というような異常な状態が生じる。この場合、その異常状態を外部の通信装置１１で認識することができず、このポジショナ１での異常状態が長らく放置されるという問題が生じる虞があった。
【００２１】
以下、この問題について、具体的に述べる。通信処理部１７への電源の供給がオンの状態で、演算処理部１４への電源の供給がオフの状態が生じた場合、絶縁回路１９におけるフリップフロップ１９３のＱ出力は「Ｈ」レベルで固定される場合もあるし、「Ｌ」レベルで固定される場合もある。
【００２２】
この場合、バーンアウトＨ信号を異常検出時の出力信号とすると、フリップフロップ１９３のＱ出力が「Ｈ」レベルで固定された場合には通信装置１１でポジショナ１の異常状態を認識することができるが、フリップフロップ１９３のＱ出力が「Ｌ」レベルで固定された場合には通信装置１１でポジショナ１の異常状態を認識することができない。
【００２３】
逆に、バーンアウトＬ信号を異常検出時の出力信号とすると、フリップフロップ１９３のＱ出力が「Ｌ」レベルで固定された場合には通信装置１１でポジショナ１の異常状態を認識することができるが、フリップフロップ１９３のＱ出力が「Ｈ」レベルで固定された場合には通信装置１１でポジショナ１の異常状態を認識することができない。
【００２４】
このように、通信処理部１７への電源の供給がオンの状態で、演算処理部１４への電源の供給がオフの状態が生じた場合、絶縁回路１９におけるフリップフロップ１９３のＱ出力のレベルが一義的に定まらないので、通信装置１１へその通信装置１１が認識できる方向へのバーンアウト信号を確実に送ることができず、ポジショナ１での異常状態が長らく放置されるという問題が生じる虞がある。
【００２５】
本発明は、このような課題を解決するためになされたもので、その目的とするところは、通信処理部への電源の供給がオンの状態で、演算処理部への電源の供給がオフの状態が生じた場合、その異常状態を確実に外部へ知らせることが可能なフィールド機器を提供することにある。
【課題を解決するための手段】
【００２６】
このような目的を達成するために本発明は、第１の伝送路を介して送られてくる電源の供給を受けて動作する演算処理部と、第２の伝送路を介して送られてくる電源の供給を受けて動作し第２の伝送路に出力する電流を調整する通信処理部と、演算処理部と通信処理部との間に設けられた絶縁回路とを備え、通信処理部が調整する通常の電流範囲の上限値を上回るレベルの信号を第１のバーンアウト信号とし、下限値を下回るレベルの信号を第２のバーンアウト信号とし、この第１および第２のバーンアウト信号のうち異常検出時の出力信号として設定された演算処理部が生成するバーンアウト信号を絶縁回路を介して通信処理部より第２の伝送路に出力するフィールド機器において、絶縁回路の出力ラインを介して分岐入力される信号を反転する反転回路と、絶縁回路の出力ラインからの信号を第１の入力、反転回路からの反転された信号を第２の入力とし、その選択設定状態に応じて第１の入力および第２の入力の何れか一方を選択し、その選択した信号を通信処理部へ出力する選択回路とを設け、通信処理部への電源の供給がオン、演算処理部への電源の供給がオフの状態にある場合、絶縁回路の出力ラインの電圧レベルを第１および第２のバーンアウト信号のうち予め定められたバーンアウト信号を示す電圧レベルに保つようにしたものである。
【００２７】
本発明において、絶縁回路の出力ラインの電圧レベルは、通信処理部への電源の供給がオン、演算処理部への電源の供給がオフの状態にある場合、第１および第２のバーンアウト信号のうち予め定められたバーンアウト信号を示す電圧レベルに保たれる。例えば、「Ｈ」レベルを第１のバーンアウト信号を示す電圧レベル、「Ｌ」レベルを第２のバーンアウト信号を示す電圧レベルとした場合、「Ｈ」レベルあるいは「Ｌ」レベルのうち予め定められた何れか一方の電圧レベルに保たれる。
【００２８】
ここで、絶縁回路の出力ラインの電圧レベルを「Ｈ」レベルに保つものとした場合、選択回路での選択設定状態を第１の入力を選択する状態としておくと、通信処理部への電源の供給がオン、演算処理部への電源の供給がオフの状態にある場合には、「Ｈ」レベルすなわち第１のバーンアウト信号を示す電圧レベルが必ず通信処理部へ出力される。これに対し、選択回路での選択設定状態を第２の入力を選択する状態としておくと、通信処理部への電源の供給がオン、演算処理部への電源の供給がオフの状態にある場合には、反転回路で反転された信号の電圧レベルが「Ｌ」レベルに保たれ、「Ｌ」レベルすなわち第２のバーンアウト信号を示す電圧レベルが必ず通信処理部へ出力される。
【００２９】
逆に、絶縁回路の出力ラインの電圧レベルを「Ｌ」レベルに保つものとした場合、選択回路での選択設定状態を第１の入力を選択する状態としておくと、通信処理部への電源の供給がオン、演算処理部への電源の供給がオフの状態にある場合には、「Ｌ」レベルすなわち第２のバーンアウト信号を示す電圧レベルが必ず通信処理部へ出力される。これに対し、選択回路での選択設定状態を第２の入力を選択する状態としておくと、通信処理部への電源の供給がオン、演算処理部への電源の供給がオフの状態にある場合には、反転回路で反転された信号の電圧レベルが「Ｈ」レベルに保たれ、「Ｈ」レベルすなわち第１のバーンアウト信号を示す電圧レベルが必ず通信処理部へ出力される。
【発明の効果】
【００３０】
本発明によれば、絶縁回路の出力ラインを介して分岐入力される信号を反転する反転回路と、絶縁回路の出力ラインからの信号を第１の入力、反転回路からの反転された信号を第２の入力とし、その選択設定状態に応じて第１の入力および第２の入力の何れか一方を選択し、その選択した信号を通信処理部へ出力する選択回路とを設け、通信処理部への電源の供給がオン、演算処理部への電源の供給がオフの状態にある場合、絶縁回路の出力ラインの電圧レベルを第１および第２のバーンアウト信号のうち予め定められたバーンアウト信号を示す電圧レベルに保つようにしたので、通信処理部への電源の供給がオンの状態で、演算処理部への電源の供給がオフの状態が生じた場合、通信処理部から出力されるバーンアウト信号を第１および第２のバーンアウト信号のうちの何れか一方に確定し、その異常状態を確実に外部へ知らせることが可能となる。
【図面の簡単な説明】
【００３１】
【図１】本発明に係るフィールド機器の一例としてポジショナの一実施の形態の要部の構成を示す図である。
【図２】このポジショナの演算処理部からの通信処理部への伝送路に設けた送信側伝送回路の構成を示す図である。
【図３】選択回路での選択設定状態を演算処理部へ伝達する選択設定状態伝達手段を設けた例を示す図である。
【図４】絶縁トランスに代えてフォトカプラを用いるようにした例を示す図である。
【図５】絶縁トランスに代えてアイソレータＩＣを用いるようにした例を示す図である。
【図６】従来の通信機能を有するポジショナの要部の構成図を示す図である。
【図７】この通信機能を有するポジショナの演算処理部と通信処理部との間に絶縁回路を設けるようにした例を示す図である。
【図８】演算処理部から通信処理部への送信経路に特許文献２に示されたパルス列伝送装置を絶縁回路とした設けた例を示す図である。
【図９】この絶縁回路の動作を示すタイムチャートである。
【発明を実施するための形態】
【００３２】
以下、本発明の実施の形態を図面に基づいて詳細に説明する。
図１に本発明に係るフィールド機器の一例として示したポジショナの一実施の形態の要部の構成図を示す。同図において、図７と同一符号は図７を参照して説明した構成要素と同一或いは同等構成要素を示し、その説明は省略する。
【００３３】
この実施の形態では、演算処理部１４からの通信処理部１７への伝送経路に、本実施の形態特有の回路として、送信側伝送回路２１を設けている。図２にこの送信側伝送回路２１の回路構成を示す。
【００３４】
この送信側伝送回路２１は、絶縁回路２２と、絶縁回路２２の出力ラインＬ１を介して分岐入力される信号を反転する反転回路２３と、絶縁回路２２の出力ラインＬ１からの信号を第１の入力、反転回路２３からの反転された信号を第２の入力とし、その選択設定状態に応じて第１の入力および第２の入力の何れか一方を選択し、その選択した信号を通信処理部１７へ出力する選択回路２４とから構成されている。
【００３５】
絶縁回路２２は、演算処理部１４からの信号を入力とするオペアンプ２２−１と、絶縁トランス２２−２と、抵抗２２−３とから構成されている。この絶縁回路２２では、絶縁トランス２２−２の１次側のコイルＣＬ１にオペアンプ２２−１からの出力電流が流れ、この出力電流によって誘起される電圧が絶縁トランス２２−２の２次側のコイルＣＬ２と抵抗Ｒ２２−３との接続点Ｐ１に生じる。なお、抵抗Ｒ２２−３の他端には＋５Ｖの電圧が印加されている。この＋５Ｖの電圧は第２の系統の２線式伝送路７，８からの供給電源より生成される。また、オペアンプ２２−１にはその動作電源として電圧ＶＤが印加されており、この電圧ＶＤは第１の系統の２線式伝送路５，６からの供給電源より生成される。
【００３６】
反転回路２３は、絶縁回路２２の出力ラインＬ１から分岐された分岐ラインＬ２と選択回路２４の第２の入力端子Ｓ２との間に接続されており、分岐ラインＬ２からの信号を反転して選択回路２４の第２の入力端子Ｓ２に出力する。反転回路２３にはその動作電源として＋５Ｖの電圧が印加されている。この＋５Ｖの電圧は第２の系統の２線式伝送路７，８からの供給電源より生成される。
【００３７】
選択回路２４は、第１の入力端子Ｓ１と第２の入力端子Ｓ２と出力端子Ｓ３とを備え、第１の入力端子Ｓ１に絶縁回路２２の出力ラインＬ１からの信号が入力され、第２の入力端子Ｓ２に反転回路２３からの信号が入力される。選択回路２４は手動操作スイッチであり、第１の選択設定状態とすると第１の入力端子Ｓ１と出力端子Ｓ３との間が接続され、第２の選択設定状態とすると第２の入力端子Ｓ２と出力端子Ｓ３との間が接続される。出力端子Ｓ３からの出力信号は通信処理部１７へ送られる。
【００３８】
〔異常時の出力信号をバーンアウトＨ信号とする場合〕
異常時の出力信号をバーンアウトＨ信号とする場合、すなわち通信装置１１が通常の電流範囲の上限値を上回るレベルの信号を異常であると認識する装置である場合、この送信側伝送回路２１では、選択回路２４の選択設定状態を第１の選択設定状態とする。すなわち、選択回路２４を手動操作し、第１の入力端子Ｓ１と出力端子Ｓ３との間を接続させた状態（第１の入力を選択する状態）としておく。
【００３９】
これにより、作業者がポジショナ１の内部回路への電源供給を可能とするスイッチＳＷ１を入れ忘れるなどして、通信処理部１７への電源の供給がオンの状態（＋５Ｖの電圧の印加が継続された状態）で、演算処理部１４への電源の供給がオフの状態（ＶＤ＝０Ｖ）が生じた場合、絶縁回路２２の出力ラインＬ１の電圧レベルが「Ｈ」レベルに保たれ、第１の選択設定状態とされている選択回路２４を通して、「Ｈ」レベルすなわちバーンアウトＨ信号を示す電圧レベルが必ず通信処理部１７へ出力されるものとなる。
【００４０】
〔異常時の出力信号をバーンアウトＬ信号とする場合〕
異常時の出力信号をバーンアウトＬ信号とする場合、すなわち通信装置１１が通常の電流範囲の下限値を下回るレベルの信号を異常であると認識する装置である場合、この送信側伝送回路２１では、選択回路２４の選択設定状態を第２の選択設定状態とする。すなわち、選択回路２４を手動操作し、第２の入力端子Ｓ２と出力端子Ｓ３との間を接続させた状態（第２の入力を選択する状態）としておく。
【００４１】
これにより、作業者がポジショナ１の内部回路への電源供給を可能とするスイッチＳＷ１を入れ忘れるなどして、通信処理部１７への電源の供給がオンの状態（＋５Ｖの電圧の印加が継続された状態）で、演算処理部１４への電源の供給がオフの状態（ＶＤ＝０Ｖ）が生じた場合、絶縁回路２２の出力ラインＬ１の電圧レベルが「Ｈ」レベルに保たれ、反転回路２３で反転された信号の電圧レベルが「Ｌ」レベルに保たれ、第２の選択設定状態とされている選択回路２４を通して、「Ｌ」レベルすなわちバーンアウトＬ信号を示す電圧レベルが必ず通信処理部１７へ出力されるものとなる。
【００４２】
このようにして、本実施の形態では、通信処理部１７への電源の供給がオンの状態で、演算処理部１４への電源の供給がオフの状態が生じた場合、通信処理部１７から出力されるバーンアウト信号の方向（「Ｈ」／「Ｌ」の方向）を一方向に確定し、その異常状態を確実に外部の通信装置１１へ知らせることができるようになる。
【００４３】
なお、上述した実施の形態では、通信処理部１７への電源の供給がオンの状態で、演算処理部１４への電源の供給がオフの状態が生じた場合、絶縁回路２２の出力ラインＬ１の電圧レベルを「Ｈ」レベルに保つようにしたが、「Ｌ」レベルに保つようにしてもよい。
【００４４】
絶縁回路２２の出力ラインＬ１の電圧レベルを「Ｌ」レベルに保つものとした場合、選択回路２４での選択設定状態を第１の選択設定状態（第１の入力を選択する状態）としておくと、通信処理部１７への電源の供給がオン、演算処理部１４への電源の供給がオフの状態にある場合には、「Ｌ」レベルすなわちバーンアウトＬ信号を示す電圧レベルが必ず通信処理部１７へ出力されるものとなる。
【００４５】
これに対し、選択回路２４での選択設定状態を第２の選択設定状態（第２の入力を選択する状態）としておくと、通信処理部１７への電源の供給がオン、演算処理部１４への電源の供給がオフの状態にある場合には、反転回路２３で反転された信号の電圧レベルが「Ｈ」レベルに保たれ、「Ｈ」レベルすなわちバーンアウトＨ信号を示す電圧レベルが必ず通信処理部１７へ出力されるものとなる。
【００４６】
図３に、演算処理部１４で生成されるバーンアウト信号の方向と、通信処理部１７への電源の供給がオンの状態で、演算処理部１４への電源の供給がオフの状態が生じた場合に選択回路２４を通して出力されるバーンアウト信号の方向とを常に整合させるようにした例を示す。
【００４７】
この例では、送信側伝送回路２１に対して選択設定状態伝達手段２５を設け、選択回路２４での選択設定状態を演算処理部１４へ伝達するようにしている。この場合、演算処理部１４は、バーンアウト方向整合機能１４−１によって、選択設定状態伝達手段２５より伝達される選択回路２４での選択設定状態に基づいて、自己が生成するバーンアウト信号の方向と、通信処理部１７への電源の供給がオン、演算処理部１４への電源の供給がオフの状態にある場合に選択回路２４が通信処理部１７へ出力するバーンアウト信号の方向とが異なる場合、自己が生成するバーンアウト信号の方向を選択回路２４が出力するバーンアウト信号と同じ方向に整合させるようにする。
【００４８】
なお、選択設定状態伝達手段２５は、選択回路２４のスイッチ操作に連動して選択回路２４での選択設定状態を演算処理部１４へ伝達する連動スイッチであってもよいし、選択回路２４のスイッチ操作と合わせて行われる手動操作によって選択回路２４での選択設定状態を知らせる独立したスイッチであってもよい。また、選択回路２４での選択設定状態を自動的に検出し、その検出結果を絶縁回路２２とは別に設けた絶縁回路を介して演算処理装置１４へ知らせる機能ブロックであってもよい。
【００４９】
また、上述した実施の形態では、絶縁回路２２の主要な構成要素として絶縁トランス２２−１を用いるようにしたが、図４に示すように、フォトカプラ２２−４を用いるようにしてもよい。また、図５に示すように、アイソレータＩＣ２２−５を用いるなどしてもよい。
【産業上の利用可能性】
【００５０】
本発明のフィールド機器は、調節弁（バルブ）の開度を制御するポジショナなどとして、プロセス制御など様々な分野で利用することが可能である。
【符号の説明】
【００５１】
１…ポジショナ、２…上位側システム、３…調節弁、４…コントローラ、５，６…第１の系統の２線式伝送路、７，８…第２の系統の２線式伝送路、９…外部電源、１０…抵抗、１１…通信装置、１２…入力信号検出部、ＳＷ１…スイッチ、１３…弁リフト検出部、１４…演算処理部（ＣＰＵ）、１４−１…バーンアウト方向整合機能、１５…電空変換部、１６…Ａ／Ｄ変換部、１７…通信処理部（電流出力回路）、２１…送信側伝送回路、２２…絶縁回路、２２−１…オペアンプ、２２−２…絶縁トランス、２２−３…抵抗、ＣＬ１…１次側のコイル、ＣＬ２…２次側のコイル、２２−４…フォトカプラ、２２−５…アイソレータＩＣ、２３…反転回路、２４…選択回路、Ｓ１…第１の入力端子、Ｓ２…第２の入力端子、Ｓ３…出力端子、Ｌ１…出力ライン、Ｌ２…分岐ライン、２５…選択設定状態伝達手段。
【図１】
0005656713.tif 000002
【図２】
0005656713.tif 000003
【図３】
0005656713.tif 000004
【図４】
0005656713.tif 000005
【図５】
0005656713.tif 000006
【図６】
0005656713.tif 000007
【図７】
0005656713.tif 000008
【図８】
0005656713.tif 000009
【図９】
0005656713.tif 000010